(57)【特許請求の範囲】
【請求項１】
ハンドオフ遷移中の外部ネットワーク上のモバイル・ノードの登録のための方法であって、
モバイル・ノードが前記外部ネットワークへの接続を開始した後にローカル・モビリティ・アンカーにおいて事前ハンドオフ登録要求メッセージを受信するステップであって、前記事前ハンドオフ登録要求メッセージは、事前ハンドオフ登録要求インジケータと、存続期間インジケータと、前記存続期間中に処理される前記外部ネットワークに関連付けられているトラフィックの方向を指定する方向性インジケータとを含む、受信するステップと、
前記外部ネットワークに関連付けられている前記モバイル・ノードの仮の気付アドレスのキャッシュ・エントリ・テーブルで適切なエントリを作成するステップと、
前記存続期間の事前ハンドオフ登録を確認する前記ローカル・モビリティ・アンカーからの登録応答を伝送するステップと、
前記ローカル・モビリティ・アンカーにおいて前記仮の気付アドレスを使用して、前記モバイル・ノードに関連付けられている通信パケットを処理するステップとを備える方法。
【請求項２】
前記事前ハンドオフ登録要求メッセージはアップリンク・トラフィックをその方向性として指定するが、これは前記ローカル・モビリティ・アンカーが前記モバイル・ノードに代わり前記外部ネットワークから送信される前記仮の気付アドレスを有する通信パケットを処理することを意味する請求項１に記載の登録の方法。
【請求項３】
前記事前ハンドオフ登録要求メッセージはアップリンク・トラフィックをその方向性として指定するが、これはまた前記ローカル・モビリティ・アンカーが前記モバイル・ノードの登録された正式の気付アドレスを使用して前記モバイル・ノードにアドレス指定された通信パケットを引き続き方向付けることを意味する請求項２に記載の登録の方法。
【請求項４】
前記事前ハンドオフ登録要求メッセージはダウンリンク・トラフィックをその方向性として指定するが、これは前記ローカル・モビリティ・アンカーが前記仮の気付アドレスを有する通信パケットを前記モバイル・ノードの前記事前ハンドオフ登録要求メッセージを送信する前記外部ネットワークに転送することを意味する請求項１に記載の登録の方法。
【請求項５】
前記事前ハンドオフ登録要求メッセージは双方向トラフィックをその方向性として指定するが、これは前記ローカル・モビリティ・アンカーが前記仮の気付アドレスを使用して前記モバイル・ノードから送信されるかまたは前記モバイル・ノードに送信されるすべての通信パケットを処理することを意味する請求項１に記載の登録の方法。
【請求項６】
前記事前ハンドオフ登録要求メッセージの存続期間インジケータは、前記仮の気付アドレスの有効期限の前記期間を延長するように変更することができる請求項１に記載の登録の方法。
【請求項７】
前記存続期間インジケータに関連付けられている前記期間の満了後に前記モバイル・ノードから送信されるかまたは前記モバイル・ノードに送信されるすべての通信パケットのさらなる処理のために前記仮の気付アドレスを使用するステップをさらに備える請求項１に記載の登録の方法。
【請求項８】
前記存続期間インジケータに関連付けられている前記期間の満了後に前記モバイル・ノードから送信されるかまたは前記モバイル・ノードに送信されるすべての通信パケットのさらなる処理のために前記仮の気付アドレスを使用するようにバインディング・キャッシュ・エントリ・テーブルを更新するステップをさらに備える請求項１に記載の登録の方法。
【請求項９】
処理された後に前記仮の気付アドレスが前記モバイル・ノードから送信されるかまたは前記モバイル・ノードに送信されるすべての通信パケットのさらなる処理のために使用されるようにする、ハンドオフ登録要求を前記ローカル・モビリティ・アンカーにおいて受信するステップをさらに備える請求項１に記載の登録の方法。
【請求項１０】
処理された後に前記仮の気付アドレスが前記モバイル・ノードから送信されるかまたは前記モバイル・ノードに送信されるすべての通信パケットのさらなる処理のために使用されるようにする、以前の気付アドレスの取り消し要求メッセージを前記ローカル・モビリティ・アンカーにおいて受信するステップをさらに備える請求項１に記載の登録の方法。
【請求項１１】
ハンドオフ遷移中の外部ネットワーク上のモバイル・ノードの登録のための方法であって、
モバイル・ノードが前記外部ネットワークへの接続を開始した後にローカル・モビリティ・アンカーにおいて事前ハンドオフ登録要求メッセージを受信するステップであって、前記事前ハンドオフ登録要求メッセージは、事前ハンドオフ登録要求インジケータと、存続期間インジケータと、前記存続期間中に処理される前記外部ネットワークに関連付けられているトラフィックの方向を指定する方向性インジケータとを含む、受信するステップと、
事前ハンドオフ登録要求メッセージを処理した後、前記存続期間の前記モバイル・ノードの仮の気付アドレスの事前ハンドオフ登録を確認する前記ローカル・モビリティ・アンカーからの登録応答を伝送するステップと、
前記ローカル・モビリティ・アンカーにおいて前記仮の気付アドレスを使用して、前記モバイル・ノードに関連付けられている通信パケットを処理するステップとを備える方法。
【請求項１２】
前記仮の気付アドレスは、前記存続期間が変更されることなく満了するまで前記ローカル・モビリティ・アンカーによって使用される請求項１１に記載の登録の方法。
【請求項１３】
前記仮の気付アドレスは、以前の気付アドレスが前記モバイル・ノードが以前に接続されていた外部ネットワークの外部エージェントによって取り消された場合、前記ローカル・モビリティ・アンカーによって使用される請求項１１に記載の登録の方法。
【請求項１４】
前記事前ハンドオフ登録要求メッセージはアップリンク・トラフィックをその方向性として指定するが、これは前記ローカル・モビリティ・アンカーが前記モバイル・ノードに代わり前記外部ネットワークから送信される前記仮の気付アドレスを有する通信パケットを処理することを意味する請求項１１に記載の登録の方法。
【請求項１５】
前記事前ハンドオフ登録要求メッセージはアップリンク・トラフィックをその方向性として指定するが、これはまた前記ローカル・モビリティ・アンカーが前記モバイル・ノードの登録された正式の気付アドレスを使用して前記モバイル・ノードにアドレス指定された通信パケットを引き続き方向付けることを意味する請求項１４に記載の登録の方法。
【請求項１６】
前記事前ハンドオフ登録要求メッセージはダウンリンク・トラフィックをその方向性として指定するが、これは前記ローカル・モビリティ・アンカーが前記仮の気付アドレスを有する通信パケットを前記モバイル・ノードの前記事前ハンドオフ登録要求メッセージを送信する前記外部ネットワークに転送することを意味する請求項１１に記載の登録の方法。
【請求項１７】
前記事前ハンドオフ登録要求メッセージは双方向トラフィックをその方向性として指定するが、これは前記ローカル・モビリティ・アンカーが前記仮の気付アドレスを使用して前記モバイル・ノードから送信されるかまたは前記モバイル・ノードに送信されるすべての通信パケットを処理することを意味する請求項１１に記載の登録の方法。
【請求項１８】
第１の外部ネットワークおよび第２の外部ネットワークに結合されたローカル・モビリティ・アンカーを有するホーム・ネットワークであって、各外部ネットワークは、モバイル・ノードに接続されるモバイル・アクセス・ゲートウェイを有するホーム・ネットワークを備え、
前記ローカル・モビリティ・アンカーは、仮の気付アドレスの存続期間を示す存続期間インジケータ及び前記当該存続期間中に処理されるトラフィックの方向を示す方向性インジケータを指定する事前ハンドオフ登録要求メッセージを前記第２の外部ネットワークから受信した後、前記モバイル・ノードの接続に関連付けられている前記仮の気付アドレスを前記第２の外部ネットワークに割り当て、
前記ローカル・モビリティ・アンカーは、前記存続期間中に前記方向性インジケータに基づいて前記仮の気付アドレスを使用して通信パケットを処理する通信ネットワーク。
【請求項１９】
前記事前ハンドオフ登録要求メッセージはアップリンク・トラフィックをその方向性として指定するが、これは前記ローカル・モビリティ・アンカーが前記モバイル・ノードに代わり前記第２の外部ネットワークから送信される前記仮の気付アドレスを有する通信パケットを処理することを意味する請求項１８に記載の通信ネットワーク。
【請求項２０】
前記事前ハンドオフ登録要求メッセージはアップリンク・トラフィックをその方向性として指定するが、これはまた前記ローカル・モビリティ・アンカーが前記モバイル・ノードの登録された正式の気付アドレスを使用して前記モバイル・ノードにアドレス指定された通信パケットを引き続き方向付けることを意味する請求項１９に記載の通信ネットワーク。
【請求項２１】
前記事前ハンドオフ登録要求メッセージはダウンリンク・トラフィックをその方向性として指定するが、これは前記ローカル・モビリティ・アンカーが前記仮の気付アドレスを有する通信パケットを前記モバイル・ノードの前記事前ハンドオフ登録要求メッセージを送信する前記第２の外部ネットワークに転送することを意味する請求項１８に記載の通信ネットワーク。
【請求項２２】
前記事前ハンドオフ登録要求メッセージは双方向トラフィックをその方向性として指定するが、これは前記ローカル・モビリティ・アンカーが前記仮の気付アドレスを使用して前記モバイル・ノードから送信されるかまたは前記モバイル・ノードに送信されるすべての通信パケットを処理することを意味する請求項１８に記載の通信ネットワーク。
【請求項２３】
ホーム通信ネットワーク上のローカル・モビリティ・アンカーであって、
前記ホーム通信ネットワークの前記ローカル・モビリティ・アンカー上の通信リンク・プロセッサであって、前記ローカル・モビリティ・アンカーは前記通信リンク・プロセッサを通じて第１の外部ネットワーク上のモバイル・アクセス・ゲートウェイおよび第２の外部ネットワーク上のモバイル・アクセス・ゲートウェイに結合され、各外部ネットワークは、モバイル・ノードに接続されるモバイル・アクセス・ゲートウェイを有する通信リンク・プロセッサと、
仮の気付アドレスの存続期間を示す存続期間インジケータ及び前記当該存続期間中に処理されるトラフィックの方向を示す方向性インジケータを指定する事前ハンドオフ登録要求メッセージを前記第２の外部ネットワークから受信した後、前記モバイル・ノードの接続に関連付けられている前記仮の気付アドレスを前記第２の外部ネットワークに割り当てる前記ローカル・モビリティ・アンカー上の割り当てプロセッサと、
前記割り当てプロセッサによって保持される気付アドレスキャッシュ・エントリ・テーブルであって、前記ローカル・モビリティ・アンカー割り当てプロセッサは、前記存続期間中に前記方向性インジケータに基づいて前記仮の気付アドレスを使用して通信パケットを処理する気付アドレスキャッシュ・エントリ・テーブルとを備えるホーム通信ネットワーク上のローカル・モビリティ・アンカー。
【請求項２４】
前記事前ハンドオフ登録要求メッセージはアップリンク・トラフィックをその方向性として指定するが、これは前記ローカル・モビリティ・アンカーの通信リンク・プロセッサが前記モバイル・ノードに代わり前記第２の外部ネットワークから送信される前記仮の気付アドレスを有する通信パケットを処理することを意味する請求項２３に記載のローカル・モビリティ・アンカー。
【請求項２５】
前記事前ハンドオフ登録要求メッセージはアップリンク・トラフィックをその方向性として指定するが、これはまた前記ローカル・モビリティ・アンカーの通信リンク・プロセッサが前記モバイル・ノードの登録された正式の気付アドレスを使用して前記モバイル・ノードにアドレス指定された通信パケットを引き続き方向付けることを意味する請求項２４に記載のローカル・モビリティ・アンカー。
【請求項２６】
前記事前ハンドオフ登録要求メッセージはダウンリンク・トラフィックをその方向性として指定するが、これは前記ローカル・モビリティ・アンカーの通信リンク・プロセッサが前記仮の気付アドレスを有する通信パケットを前記モバイル・ノードの前記事前ハンドオフ登録要求メッセージを送信する前記第２の外部ネットワークに転送することを意味する請求項２３に記載のローカル・モビリティ・アンカー。
【請求項２７】
外部ネットワーク上のモバイル・アクセス・ゲートウェイであって、
前記外部ネットワークの前記モバイル・アクセス・ゲートウェイ上の通信リンク・プロセッサであって、前記モバイル・アクセス・ゲートウェイをモバイル・ノードに接続し、前記外部ネットワークの前記モバイル・アクセス・ゲートウェイを、前記モバイル・ノードに割り当てられたホーム・ネットワーク上のローカル・モビリティ・アンカーに接続し、前記モバイル・ノードは前記ホーム・ネットワーク上の前記ローカル・モビリティ・アンカーによって第２のモバイル・アクセス・ゲートウェイにすでに接続されている通信リンク・プロセッサを備え、
前記モバイル・アクセス・ゲートウェイの通信リンク・プロセッサは、仮の気付アドレスの存続期間を示す存続期間インジケータ及び前記当該存続期間中に処理されるトラフィックの方向を示す方向性インジケータを指定する事前ハンドオフ登録要求を前記ホーム・ネットワーク上の前記ローカル・モビリティ・アンカーに伝送し、前記モバイル・アクセス・ゲートウェイの通信リンク・プロセッサは、前記事前ハンドオフ登録要求メッセージに応答して前記存続期間中に前記外部ネットワークへの前記モバイル・ノードの接続に関連付けられている前記仮の気付アドレスを使用して前記モバイル・ノードにアドレス指定されたパケットを受信するモバイル・アクセス・ゲートウェイ。
【請求項２８】
前記事前ハンドオフ登録要求メッセージはアップリンク・トラフィックをその方向性として指定するが、これは前記ローカル・モビリティ・アンカーが前記モバイル・ノードに代わり前記外部ネットワークから送信される前記仮の気付アドレスを有する通信パケットを処理することを意味する請求項２７に記載のモバイル・アクセス・ゲートウェイ。
【請求項２９】
前記事前ハンドオフ登録要求メッセージはアップリンク・トラフィックをその方向性として指定するが、これはまた前記ローカル・モビリティ・アンカーが前記第２の外部ネットワーク上の前記モバイル・ノードの登録された正式の気付アドレスを使用して前記モバイル・ノードにアドレス指定された通信パケットを引き続き方向付けることを意味する請求項２８に記載のモバイル・アクセス・ゲートウェイ。
【請求項３０】
前記事前ハンドオフ登録要求メッセージはダウンリンク・トラフィックをその方向性として指定するが、これは前記ローカル・モビリティ・アンカーが前記仮の気付アドレスを有する通信パケットを前記モバイル・ノードの前記事前ハンドオフ登録要求メッセージを送信する前記外部ネットワークに転送することを意味する請求項２７に記載のモバイル・アクセス・ゲートウェイ。
【請求項３１】
前記事前ハンドオフ登録要求メッセージは双方向トラフィックをその方向性として指定するが、これは前記ローカル・モビリティ・アンカーが前記事前ハンドオフ登録要求メッセージを送信する前記外部ネットワーク上の前記モバイル・ノードの前記仮の気付アドレスを使用して前記モバイル・ノードから送信されるかまたは前記モバイル・ノードに送信されるすべての通信パケットを処理することを意味する請求項２７に記載のモバイル・アクセス・ゲートウェイ。
【発明の詳細な説明】
【技術分野】
【０００１】
関連出願データ
本願は、２００７年１１月２１日に出願された仮特許出願第６０／９８９，５４６号、および２００７年１１月２９日に出願された仮特許出願第６０／９９１，０２３号に関連し、米国特許法１１９（ｅ）条のもとにこの先の出願の優先権が主張される。仮特許出願は、参照により本一般特許出願に援用される。
【０００２】
事前ハンドオフ登録インジケータ（ｐｒｅ−ｈａｎｄｏｆｆ  ｒｅｇｉｓｔｒａｔｉｏｎ  ｉｎｄｉｃａｔｏｒ）またはオプションを使用して、通信システム上のモバイル・ノードとのトンネル化通信の継続性を保証することを支援するための方法。
【背景技術】
【０００３】
ＩＰベースのモバイル・システムは、少なくとも１つのモバイル・ノードと無線通信ネットワークとの間の通信をもたらす。「モバイル・ノード（ｍｏｂｉｌｅ  ｎｏｄｅ）」という用語は、モバイル通信ユニット（たとえば、モバイル端末、「スマートフォン」、以下でさらに詳細に説明されるような無線接続を備えるラップトップＰＣのようなノマディックデバイスなど）を含む。特に、無線通信システムは、ホーム・ネットワークおよび外部ネットワークを含む。モバイル・ノードはこれらのネットワークを通じてインターネットへのその接続ポイントを変更することもあるが、モバイル・ノードは常に、ＩＰアドレス指定の目的で単一のホーム・ネットワークに関連付けられている。ホーム・ネットワークはホーム・エージェントを含み、外部ネットワークは外部エージェントを含むが、いずれも情報パケットのそれらのネットワークへのルーティングおよびそれらのネットワークからのルーティングを制御する。一般に、システムに関連付けられている対応ノードがある場合もあるが、これはモバイル・ノードと通信するネットワークの１つに位置するモバイル・ノードまたは固定ノードであってもよい。
【０００４】
モバイル・ノード、ホーム・エージェント、および外部エージェントは、特定のネットワーク構成または通信システムにおいて使用される用語体系により異なる名前で呼ばれることもある。たとえば、「モバイル・ノード」は、無線ネットワークへの有線の（たとえば、電話線（「ツイストペア」）、イーサネット・ケーブル、光ケーブルなど）接続、およびセルラー・ネットワークへの直接無線接続を有するＰＣを含む。セルラー・ネットワークへの直接無線接続は、インターネット・アクセス、電子メール、メッセージング・サービスなどのような、さまざまな特徴および機能を有するさまざまな型およびモデルのモバイル端末（「携帯電話」）によってサポートされる。モバイル・ノードは、特定のシステム提供業者によって採用される用語体系に応じて、ユーザ機器、モバイル・ユニット、モバイル端末、モバイル・デバイス、または類似した名前で呼ばれることもある。
【０００５】
ホーム・エージェントはまた、ローカル・モビリティ・アンカー、ホーム・モビリティ・マネージャ、ホーム・ロケーション・レジスタと呼ばれることもあり、外部エージェントは、モバイル・アクセス・ゲートウェイ、サービス提供モビリティ・マネージャ、アクセス先ロケーション・レジスタ、およびアクセス元サービス提供エンティティと呼ばれることもある。モバイル・ノード、ホーム・エージェント、および外部エージェントという用語は、限定的に定義されることを意図してはおらず、ホーム・ネットワークまたは外部ネットワークに位置するその他のモバイル通信ユニットまたは監視ルーティングデバイスを含むこともできる。外部ネットワークはまた、サービス提供ネットワークと呼ばれることもある。
【０００６】
モバイル・ノードの登録
外部エージェントおよびホーム・エージェントは、そのエージェントに関連付けられているローカルネットワーク上のすべてのノードに定期的にエージェント・アドバタイズメントをブロードキャストする。エージェントアドバタイズメントは、モバイルＩＰプロトコル（ＲＦＣ２００２）または任意の他のタイプの通信プロトコルのもとで発行されうるネットワーク上のエージェントからのメッセージである。このアドバタイズメントは、モバイル・ノードに対してモビリティエージェント（たとえば、ホーム・エージェント、外部エージェントなど）を一意に識別するために必要な情報を含む必要がある。複数のインターフェイスもまた、単一または複数の外部ネットワーク上でサポートされてもよいが、これはさまざまな通信アクセスタイプ８０２．１１ｄ、８０２．１１ｇ、ＨＲＰＤ、ＷｉＦｉ、ＷｉＭａｘ、ＣＤＭＡ、またはＬＴＥを含むことができる。モバイル・ノードは、エージェントアドバタイズメントを検査して、それらがホーム・ネットワークまたは外部ネットワークに接続されているかどうかを決定する。
【０００７】
モバイル・ノードは、ＩＰアドレス指定の目的でそのホーム・ネットワークおよびサブネットワークに常に関連付けられ、ホーム・ネットワークおよび外部ネットワーク上に位置するルータによってそこにルーティングされる情報を有することになる。モバイル・ノードがそのホーム・ネットワーク上に位置する場合、情報パケットは、標準のアドレス指定およびルーティング方式に従ってモバイル・ノードにルーティングされる。
【０００８】
しかし、モバイル・ノードが外部ネットワークにアクセスしている場合、モバイル・ノードはエージェントアドバタイズメントから適切な情報を取得して、登録要求メッセージ［バインド更新要求（ｂｉｎｄｉｎｇ  ｕｐｄａｔｅ  ｒｅｑｕｅｓｔ）と呼ばれることもある］を外部エージェント経由でそのホーム・エージェントに伝送する。登録要求メッセージは、モバイル・ノードの気付アドレスを含む。登録応答メッセージ［バインド更新応答メッセージ（ｂｉｎｄｉｎｇ  ｕｐｄａｔｅ  ａｃｋｎｏｗｌｅｄｇｅ  ｍｅｓｓａｇｅ）とも呼ばれる］は、登録プロセスが正常に完了したことを確認するために、ホーム・エージェントによってモバイル・ノードに送信されてもよい。
【０００９】
気付アドレス指定および中断の問題
登録プロセスの一環として、モバイル・ノードは、「気付アドレス」の使用を通じて、ホーム・エージェントまたはローカル・モビリティ・アンカーとの接続性を保持する。この気付アドレスは、バインディング・キャッシュ・エントリ・テーブル（Ｂｉｎｄｉｎｇ  Ｃａｃｈｅ  Ｅｎｔｒｙ  Ｔａｂｌｅ）とも呼ばれるテーブルでホーム・エージェントまたはローカル・モビリティ・アンカーに登録される。登録済みの気付アドレスは、モバイル・ノードが位置する外部ネットワークを識別し、ホーム・エージェントまたはローカル・モビリティ・アンカーは、後のモバイル・ノードへの転送のために、この登録済みの気付アドレスを使用して情報パケットを外部ネットワークに転送する。
【００１０】
モバイル・ノードが外部ネットワーク上に位置している間に、ホーム・エージェントまたはローカル・モビリティ・アンカーがモバイル・ノードにアドレス指定された情報パケットを受信する場合、ホーム・エージェントまたはローカル・モビリティ・アンカーは、適用可能な気付アドレスを使用して外部ネットワーク上のモバイル・ノードの現在位置に情報パケットを伝送する。これは、外部ネットワークが情報パケットを受信して、情報パケットを外部ネットワーク上のモバイル・ノードに転送する気付アドレスに情報パケットを転送することにより達成される。これらの通信が行われている間、外部ネットワークとホーム・エージェントまたはローカル・モビリティ・アンカーとの間の通信パケットの伝送は、トンネリング通信プロトコルを使用して実行される。
【００１１】
登録済みの気付アドレスは、モバイル・ノードが位置する外部ネットワークを識別し、ホーム・エージェントまたはローカル・モビリティ・アンカーはまた、この登録済みの気付アドレスを使用して、外部ネットワーク上に位置するモバイル・ノードから受信した情報パケットを転送する。この状況において、モバイル・ノードは、さらなる処理および対応ノードのようなシステム上の他のノードへの伝送のために、情報および通信パケットを外部エージェント経由でホーム・エージェントまたはローカル・モビリティ・アンカーに伝送して返すことができる。情報パケットのソースは、モバイル・ノードの気付アドレスとして、モバイル・ノードのパケットで識別される。
【００１２】
ホーム・エージェントまたはローカル・モビリティ・アンカーは、モバイル・ノードの通信が、モバイル・ノードから受信したパケットのルーティング、処理、およびさらなる転送を行う前に、モバイル・ノードの有効な気付アドレスから伝送されていることを確認する。ホーム・エージェントが、有効な気付アドレスをそのソースとして有していない情報パケットを受信する場合、パケットはそれ以上処理されない。気付アドレスが有効である場合、情報パケットは、ホーム・エージェントまたはローカル・モビリティ・アンカーによって宛先に転送されルーティングされる。これらの通信は、外部ネットワークとホーム・ネットワークとの間の「トンネル化」通信と呼ばれることもある。
【００１３】
モバイル・ノードは、１つの外部ネットワークから別の外部ネットワークに遷移して移動することもある。各外部ネットワークは異なる気付アドレスにより識別されるので、１つの外部ネットワークから新しい外部ネットワークへモバイル・ノードが遷移すると、ホーム・エージェントまたはローカル・モビリティ・アンカーにおいてモバイル・ノードに登録されている気付アドレスを変更することが必要となる。モバイル・ノードが１つの外部ネットワークから別の外部ネットワークへ遷移することにより生じた気付アドレス指定のこの変更中に、ホーム・エージェントまたはローカル・モビリティ・アンカー経由のモバイル・ノードとの間のトンネル化メッセージ伝送の継続性の保持に関して問題が発生することがある。
【００１４】
たとえば、新しい外部ネットワークの新しい気付アドレスにアドレス指定されたメッセージは、新しい外部ネットワークへのハンドオフが完全に終了するまでホーム・エージェントまたはローカル・モビリティ・アンカーによってモバイル・ノードに適正に伝送されない場合もある。実際、新しい外部ネットワークへのハンドオフが完全に終了する前に、新しい外部ネットワークにアドレス指定された通信パケットはドロップされるか、または通信パケットは古い外部ネットワークの気付アドレスに誤って方向付けられることもあるが、これらはいずれもモバイル・ノードへの通信の継続性を中断させる結果をまねくことになる。
【発明の概要】
【発明が解決しようとする課題】
【００１５】
その上、新しい外部ネットワークの気付アドレスがホーム・エージェントまたはローカル・モビリティ・アンカーに登録されていないので、新しい外部ネットワークから送信されているモバイル・ノードの情報および通信パケットは正しく認識されないこともある。この状況において、ホーム・エージェントまたはローカル・モビリティ・アンカーは、新しい外部ネットワークの気付アドレスがそのような通信パケットの有効なソースとしてホーム・エージェントまたはローカル・モビリティ・アンカーによって認識されないので、新しい外部ネットワークへのハンドオフが完全に終了する前に、新しい外部ネットワーク上のモバイル・ノードから通信パケットを受け入れることを拒否することもある。これらの継続性の問題は、通信の中断、パケットのドロップ、および継続的サービスの断絶を引き起こす。新しい外部ネットワークへのハンドオーバーが開始されているモバイル・ノードとの間のトンネル化通信の気付アドレス指定のサポートおよび継続性をもたらすことは、本発明の主要な目的である。
【課題を解決するための手段】
【００１６】
本発明は、モバイル・ノードに代わって新しい外部エージェントの事前ハンドオフ登録を使用することにより、ハンドオフ遷移期間中のこれらの通信中断の問題を解決する。事前ハンドオフ登録メッセージは、（１）事前ハンドオフ登録メッセージとして自身を識別し、（２）事前ハンドオフ登録期間のトラフィックの方向を指示し、（３）事前ハンドオフ登録要求が引き続き有効と見なされる存続期間または期間を指定する必要がある。事前ハンドオフ登録は、登録メッセージにフラグ・インジケータまたはオプションを使用することができる。
【００１７】
ホーム・エージェントまたはローカル・モビリティ・アンカーは、そのバインディング・キャッシュ・エントリ・テーブルに適切な値を追加することによって、事前ハンドオフ登録を処理するが、これは新しい外部ネットワークの気付アドレスを、指定された存続期間中にモバイル・ノードに関連付けられている有効なアドレスとして認識する。ローカル・モビリティ・アンカーは、方向性インジケータに応じて事前ハンドオフ登録の気付アドレスを使用してトラフィックを受け入れるが、モバイル・ノードへの通信トラフィックまたはモバイル・ノードからの通信トラフィックは、遷移期間中に中断されることはない。新しい外部ネットワーク上のモバイル・ノードの気付アドレスがこの遷移期間中にモバイル・ノードへの通信トラフィックまたはモバイル・ノードからの通信トラフィックを方向付けるために使用することができるので、サービスの中断が発生することはなく、モバイル・ノードへのサービスおよびモバイル・ノードからのサービスの継続性は保持される。
【００１８】
これらのアクションのいずれかが発生する前に存続期間が満了する場合、存続期間は、事前ハンドオフ要求が引き続き有効であると認識されるとき、ハンドオフの完了前に期間を延長するためにオーバーライドまたは更新されてもよい。気付アドレスの事前ハンドオフ登録状況は、新しい外部エージェントが適正なハンドオフ登録要求を送信してハンドオフ手順を完了するか、または以前の外部エージェントがホーム・エージェントまたはローカル・モビリティ・アンカーの以前の登録の取り消しを要求した後、登録済み気付アドレスとして認識されてもよい。
【００１９】
本発明の目的および特徴は、類似した番号が類似した要素を表す添付の図面と併せて以下の詳細な説明および後続の特許請求の範囲を参照することによりさらに容易に理解されるであろう。
【図面の簡単な説明】
【００２０】
【図１】本発明において使用されるモバイルＩＰベースの通信システムを示す図である。
【図２】本発明において使用されるモバイルＩＰベースの通信システムのメッセージシーケンスを示す図である。
【発明を実施するための形態】
【００２１】
本発明の目的および特徴は、類似した番号が類似した要素を表す添付の図面と併せて以下の詳細な説明および後続の特許請求の範囲を参照することによりさらに容易に理解されるであろう。
【００２２】
図１において、モバイル・ノード１２５、ホーム・ネットワーク１１０、ならびに各々の外部ネットワーク１３０および１５０により、ＩＰベースのモバイル・システムの全体的なアーキテクチャが示される。図１に示されるように、ホーム・ネットワーク１１０は、ホーム・エージェントまたはローカル・モビリティ・アンカー１１３を有する。ローカル・モビリティ・アンカー１１３は、通信リンク１１２によって外部ネットワーク１５０上のモビリティ・エージェント・ゲートウェイ１５５に結合され、ローカル・モビリティ・アンカー１１３は、通信リンク１１５によって外部ネットワーク１３０上のモビリティ・エージェント・ゲートウェイ１３５に結合される。
【００２３】
対応ノードＣＮ１７５は、通信リンク１７０によってホーム・ネットワーク１１０に結合されるが、これは有線リンクからなる接続、インターネットおよび／または無線接続であってもよい。対応ノード１７５は、データ、Ｖｏｉｃｅ  ｏｖｅｒ  ＩＰ、またはモバイル・ノード１２５との間で伝送されるその他の電子通信データのソースを含むことができる。本発明において、モバイル・ノード１２５は、モバイル・ノードが外部ネットワーク１３０に接続されているか、またはモバイル・ノードが新しい外部ネットワーク１５０に接続されるように遷移して移動しているときに保持される必要がある対応ノード１７５との継続中の通信セッションを有することができる。
【００２４】
モビリティ・エージェント・ゲートウェイ１３５は、無線通信リンク１２７経由でアンテナ／送信機１３７に結合された基地局送受信機１３９からなる無線アクセスシステムを通じてモバイル・ノード１２５に結合される。このリンクは、モバイル・ノード１２５との通信をサポートする既存の外部ネットワークを表す。本発明において、モバイル・ノード１２５は、外部ネットワーク１３０から外部ネットワーク１５０へとその接続を遷移させている。
【００２５】
モビリティ・エージェント・ゲートウェイ１５５は、外部ネットワーク１５０に接続されているとき、リンク１９１によってアンテナ／送信機１９２に接続された基地局送受信機１９０および無線通信リンク１８０からなる無線アクセスシステムを通じてモバイル・ノード１２５に結合される。モビリティ・アクセス・ゲートウェイ１５５および１３５は、それぞれ基地局送受信機１９０および１３９と共に機能することができる。基地局送受信機１９０および１３９はまた、システムをサポートする特定の技術に使用される用語体系に応じて、ｅｖｏｌｖｉｎｇ  Ｎｏｄｅ  Ｂａｓｅｓｔａｔｉｏｎ（ｅＮＢ）とも呼ばれる。
【００２６】
モバイル・ノード１２５は、それぞれ無線通信リンク１８０および１２７を介して外部ネットワーク１５０および１３０に電子的に結合されていることが示される。しかし、モバイル・ノード１２５は、外部ネットワークに結合された任意の送受信機またはアクセスネットワークと通信することができる。つまり、通信リンク１８０および１２７は無線で伝送されるリンクであるが、これらのリンクは、ネットワーク上の２つ以上のノード間またはネットワーク上のユーザ間または管理ドメインの間の任意の接続から構成されていてもよい。モビリティ・エージェント・ゲートウェイ１５５はまた、ＷｉＭａｘまたはＷｉＦｉのような、インターフェイス１４１および無線通信リンク１５７によってサポートされる第２の通信アクセスタイプを使用してモバイル・ノード１２５に結合されてもよい。
【００２７】
ローカル・モビリティ・アンカー、ホーム・エージェント、および外部エージェントという用語は、モバイルＩＰプロトコル（ＲＦＣ  ２００２）で定義されるものであってもよいが、これらのエージェントは単一のプロトコルまたはシステムに制限されることはない。実際、本願において使用されるようなホーム・エージェントという用語は、ホーム・モビリティ・マネージャ、ホーム・ロケーション・レジスタ、ホーム・サービス提供エンティティ、またはモバイル・ノード１２５のモビリティ関連機能を管理する責任を有するホーム・ネットワーク１１０における任意の他のエージェントを示すことができる。同様に、本願において使用されるようなモビリティ・エージェント・ゲートウェイという用語は、外部エージェント、サービス提供モビリティ・マネージャ、アクセス先ロケーション・レジスタ、アクセス元サービス提供エンティティ、またはモバイル・ノード１２５のモビリティ関連機能を管理する責任を有する外部ネットワーク上の任意の他のエージェントを示すことができる。
【００２８】
図１に示されるモバイルＩＰ通信システムにおいて、モバイル・ノード１２５は、パーマネントＩＰアドレスによって識別される。モバイル・ノード１２５はそのホーム・ネットワーク１１０に結合されているが、モバイル・ノード１２５は、ホーム・ネットワーク１１０上の任意の他の固定ノードと同様に情報パケットを受信する。ホーム・ネットワークから離れた位置にあるとき、モバイル・ノード１２５はまた、ネットワーク１３０または１５０のような外部ネットワークに自身を接続して、それらの外部ネットワーク経由でホーム・ネットワークとの接続を保持することもできる。
【００２９】
モバイル・ノード１２５は、ローカル・モビリティ・アンカー１１３に気付アドレスを登録することによって、その現在位置または外部ネットワークのアソシエーションに関する情報を常時ローカル・モビリティ・アンカー１１３に提供し続ける。本質的に、気付アドレスは、モバイル・ノード１２５が現在位置する外部ネットワークを表す。外部ネットワーク１３０または１５０上に位置するとき、ホーム・ネットワーク１１０は、この気付アドレス指定を使用して外部ネットワーク１３０または１５０に通信を「トンネリング」することにより、データ通信をモバイル・ノード１２５に送信する。モバイル・ノード１２５が外部ネットワーク１３０上に位置している間に、ローカル・モビリティ・アンカー１１３がモバイル・ノード１２５にアドレス指定された情報パケットを受信する場合、ローカル・モビリティ・アンカー１１３は、その後のモバイル・ノード１２５への伝送のために情報パケットを外部ネットワーク１３０に「トンネル化」する。
【００３０】
外部エージェント１３５は、情報パケットがローカル・モビリティ・アンカー１１３によって外部エージェント１３５に転送された後に、モバイル・ノード１２５の情報パケットを受信する。さらに、外部エージェント１３５は、外部ネットワーク１３０に接続されている間、モバイル・ノード１２５によって生成された発信情報パケットのデフォルトのルータとしての役割を果たす。ローカル・モビリティ・アンカー１１３は、デフォルトのルータ外部エージェントまたはモビリティ・エージェント・ゲートウェイ１３５経由でモバイル・ノード１２５から情報パケットを受信するとき、モバイル・ノード１２５の登録された気付アドレスを確認することによって、伝送がモバイル・ノードの登録済み外部ネットワーク１３０から開始されているかどうかを確認する。
【００３１】
外部ネットワーク１３０上のモビリティ・エージェント・ゲートウェイ１３５とローカル・モビリティ・アンカーまたはホーム・エージェント１１３との間の通信リンク１１５は、プロキシ・バインド更新要求およびプロキシ・バインド応答メッセージを使用してセットアップされた後にＩＰ−ｉｎ−ＩＰトンネルとして構成される。外部ネットワークとのトンネル化通信接続で気付アドレスをセットアップすると、ローカル・モビリティ・アンカーまたはホーム・エージェント１１３は、バインディング・キャッシュ・エントリ・テーブルに適切なアドレス・エントリを保持するが、これはモビリティ・エージェント・ゲートウェイの気付アドレスおよびホーム・ネットワークのプレフィックス・アドレスを含む。
【００３２】
モバイル・ノード１２５が、その移動が原因で新しい外部ネットワーク１５０に遷移する必要があるとき、通信リンク１１２は、新しい外部ネットワーク１５０を介してモバイル・ノード１２５と通信するために使用される。その例において、通信リンク１１２はまた、ＩＰ−ｉｎ−ＩＰトンネルとして構成される。新しい外部ネットワーク１５０へのモバイル・ノードの登録を要求するプロキシ・バインド更新要求を受信すると、ローカル・モビリティ・アンカー１１３は、外部ネットワーク１５０とのトンネル化通信接続で気付アドレスをセットアップし、ローカル・モビリティ・アンカーまたはホーム・エージェント１１３は、バインディング・キャッシュ・エントリ・テーブルの気付アドレス・エントリを変更する。
【００３３】
ローカル・モビリティ・アンカー１１３は、モビリティ・エージェント・ゲートウェイ１５５およびホーム・ネットワーク・プレフィックス・アドレスをホーム・エージェントまたはローカル・モビリティ・アンカー１１３によって保持されるバインディング・キャッシュ・エントリ・テーブルで登録することによって、新しい外部ネットワーク１５０にモバイル・ノードの新しい気付アドレスを登録する。ローカル・モビリティ・アンカー１１３は、モビリティ・エージェント・ゲートウェイ１５５に送信されたプロキシ・バインド応答メッセージでプロキシ・バインド更新要求に応答する。
【００３４】
ハンドオフ手順が完了した後、ローカル・モビリティ・アンカー１１３は、モバイル・ノード１２５が外部ネットワーク１５０に位置している間、モバイル・ノード１２５にアドレス指定された情報パケットを受信し、ローカル・モビリティ・アンカー１１３は、その後のモバイル・ノード１２５への伝送のために情報パケットを外部ネットワーク１５０に「トンネル化」する。外部エージェント１５５は、情報パケットがローカル・モビリティ・アンカー１１３によって外部エージェント１５５に転送された後に、モバイル・ノード１２５の情報パケットを受信する。さらに、ハンドオフ・プロトコルの完了後、外部エージェント１５５は、外部ネットワーク１５０に接続されている間、モバイル・ノード１２５によって生成された発信情報パケットのデフォルトのルータとしての役割を果たす。ローカル・モビリティ・アンカー１１３は、デフォルトのルータ外部エージェントまたはモビリティ・エージェント・ゲートウェイ１５５経由でモバイル・ノード１２５から情報パケットを受信するとき、モバイル・ノード１２５の登録された気付アドレスを確認することによって、伝送がモバイル・ノードの登録済み外部ネットワーク１５０から開始されているかどうかを確認する。
【００３５】
この登録プロセスおよびハンドオフ・プロトコルの完了は、完了までに有限の期間を要し、この遷移および登録期間中、ホーム・エージェントまたはローカル・モビリティ・アンカー１１３とのモバイル・ノードのアクティブな接続を保持する必要があってもよい。遷移期間中に接続が保持されない場合、モバイル・ノード１２５にアドレス指定されたパケットは誤った宛先に向けられる、またはモバイル・ノード１２５によって送信されるパケットはドロップされることもある。
【００３６】
モバイル・ノード１２５のローカル・モビリティ・アンカー１１３との接続を保持するため、およびモバイル・ノード１２５の通信の中断を防ぐため、本発明は、ハンドオフ・プロトコルの完了前にローカル・モビリティ・アンカー１１３に送信される事前ハンドオフ登録メッセージを使用することができるようにする。事前登録要求メッセージは、モバイル・ノード１２５が外部ネットワーク１５０のドメインに移動していることをモビリティ・エージェント・ゲートウェイ１５５が認識した後、外部ネットワーク１５０のモビリティ・エージェント・ゲートウェイ１５５によってローカル・モビリティ・アンカー１１３に送信されてもよい。ローカル・モビリティ・アンカー１１３は、新しい外部ネットワーク１５０を登録し、仮の気付アドレスは、ハンドオフ手順の完了前の遷移期間中に外部ネットワーク１５０を通じてモバイル・ノード１２５に割り当てられる。モバイル・ノード１２５の仮の気付アドレスの適切な登録は、ローカル・モビリティ・アンカー１１３のバインディング・キャッシュ・エントリ・テーブルで行われる。
【００３７】
事前ハンドオフ登録メッセージは、プロキシ・バインド更新メッセージで構成されてもよいが、（１）事前ハンドオフ登録メッセージとして自身を識別し、（２）事前ハンドオフ登録期間のトラフィックの方向を指示し、（３）事前ハンドオフ登録要求が引き続き有効と見なされる存続期間または期間を指定する必要がある。事前ハンドオフ登録は、プロキシ・バインド更新登録メッセージのフラグ・インジケータまたはオプションを使用することによって、これらの詳細を指定することができる。事前ハンドオフ登録要求のフラグ・インジケータは、プロキシ・バインド更新要求メッセージのあらかじめ定められたフィールドであってもよいが、インジケータが関連する代表値を通じて明示的または間接的にデータ・フィールドおよび期間を指定するフラグを立てる。ハンドオフ・インジケータのオプションはまた、プロキシ・バインド更新要求が事前ハンドオフ登録メッセージであることを新しい値が指示する場合に使用されてもよく、トラフィックの方向性が提供され、存続期間は追加のオプション情報の一部として指定される。
【００３８】
存続期間は、ローカル・モビリティ・アンカー１１３がどのくらいの時間、新しい外部ネットワーク１５５上のモバイル・ノード１２５の仮の気付アドレスを認識すべきかを指示し、事前ハンドオフ登録期間のトラフィックの方向は、モバイル・ノードからの「アップリンク・トラフィック」が遷移期間中に新しい外部ネットワーク１５０経由で送信されるようにすること、モバイル・ノードへの「ダウンリンク・トラフィック」が遷移期間中に新しい外部ネットワーク１５０に送信されるようにすること、または「アップリンク」および「ダウンリンク」トラフィック（「双方向トラフィック」とも呼ばれる）の両方を、ローカル・モビリティ・アンカー１１３が許容するかどうかを指定する。
【００３９】
ローカル・モビリティ・アンカー１１３は、方向性インジケータに応じて仮の気付アドレスを使用してトラフィックを受け入れるが、モバイル・ノードへの通信トラフィックまたはモバイル・ノードからの通信トラフィックは、遷移期間中に中断されることはない。方向性が「アップリンク・トラフィック」である場合、ローカル・モビリティ・アンカーは、仮の気付アドレスが新しい外部ネットワーク１５０および以前の外部ネットワーク１３０から送信されている有効なトラフィックとして認識する。「アップリンク・トラフィック」が指示される方向性である場合、モバイル・ノード１２５へのすべてのトラフィックは、外部ネットワーク１３０上のモビリティ・エージェント・ゲートウェイ１３５に関連付けられている古い気付アドレスに送信される。方向性が「ダウンリンク・トラフィック」である場合、新しい外部ネットワーク１５０上のモビリティ・エージェント・ゲートウェイ１５５の仮の気付アドレスは、モバイル・ノード１２５に送信されるすべてのトラフィックに対して使用される。「双方向」トラフィックが指示される場合、モバイル・ノードとの間のすべてのトラフィックは、外部ネットワーク１５０上のモビリティ・エージェント・ゲートウェイ１５５に関連付けられている仮の気付アドレスを通じて方向付けられる。
【００４０】
ホーム・エージェントまたはローカル・モビリティ・アンカー１１３は、そのバインディング・キャッシュ・エントリ・テーブルに適切な値を追加することによって、事前ハンドオフ登録を処理するが、これは新しい外部ネットワークの気付アドレスを、指定された存続期間中にモバイル・ノードに関連付けられている有効なアドレスとして認識する。ローカル・モビリティ・アンカー１１３は、ローカル・モビリティ・アンカー１１３における新しい気付アドレスの事前ハンドオフ登録を確認するプロキシ・バインド応答メッセージでモビリティ・エージェント・ゲートウェイ１５５に応答する。新しい外部ネットワーク１５０の仮の気付アドレスを含む通信パケットがローカル・モビリティ・アンカー１１３によって受信されるとき、これらのパケットは、適正なものとして認識され、モバイル・ノード１２５の接続が確実に保持されるように適切に処理される。外部ネットワーク１５０上のモバイル・ノード１２５の仮の気付アドレスがモバイル・ノード１２５との間の通信トラフィックを方向付けるために使用することができるので、サービスの中断は発生することはなく、モバイル・ノード１２５へのサービスおよびモバイル・ノード１２５からのサービスの継続性は保持される。
【００４１】
適正なハンドオフ・プロトコルが完了する前に事前ハンドオフ登録の存続期間が満了する場合、存続期間は、事前ハンドオフ要求が引き続き有効であると認識されるとき、ハンドオフの完了前に期間を延長するためにオーバーライドまたは更新されてもよい。事前ハンドオフ登録状況の更新はまた、仮の気付アドレスを、新しい外部ネットワークに関連付けられる正式な気付アドレスに変更することができる。事前登録の気付アドレスはまた、存続期間の満了後、またはオーバーライド要求がローカル・モビリティ・アンカー１１３によって受信された後に、正式な気付アドレスとしての役割を果たせるようにすることによって、変更されてもよい。
【００４２】
気付アドレスの事前ハンドオフ登録状況は、新しい外部エージェントが適正なハンドオフ登録要求を送信してハンドオフ手順を完了するか、または以前の外部エージェントがホーム・エージェントまたはローカル・モビリティ・アンカーのその以前の登録の取り消しを要求した後、登録済み気付アドレスとして認識されてもよい。これらの遷移は、事前ハンドオフ登録を正式なハンドオフ登録に変更することができるが、モビリティ・エージェント・ゲートウェイ１５５が引き続き正式なハンドオフ登録メッセージをローカル・モビリティ・アンカーに送信して、外部ネットワーク１５５上のモバイル・ノード１２５の適正な登録を保証する方が適切である場合もある。ハンドオフ・プロトコルの完了後、トラフィックの方向性は、トラフィックが、新しい外部ネットワーク１５０の新しい気付アドレスへ両方向に送信されて、「双方向」となる。
【００４３】
図２に示されているように、および図１に示されるシステムを参照すると、事前ハンドオフ登録メッセージのメッセージシーケンスは、モバイル・ノード１２５がそのサービスエリアに入ることを指示するメッセージ２１０をｅｖｏｌｖｉｎｇ  Ｎｏｄｅ  Ｂａｓｅｓｔａｔｉｏｎ１９０に送信するとき、モバイル・ノード１２５によって開始される。ｅｖｏｌｖｉｎｇ  Ｎｏｄｅ  Ｂａｓｅｓｔａｔｉｏｎ１９０は、メッセージ２２０を外部ネットワーク１５０上のモビリティ・エージェント・ゲートウェイ１５５に送信して、外部ネットワーク１５０へのモバイル・ノード１２５のさらなる移動を指示する。ハンドオフ要求の伝送の前、または外部ネットワーク１５０へのモバイル・ノード１２５の遷移に対するハンドオフ・プロトコルの完了の前に、モビリティ・エージェント・ゲートウェイ１５５は、プロキシ・バインド更新要求の形で事前ハンドオフ登録要求メッセージ２３０をローカル・モビリティ・アンカー１１３に送信する。
【００４４】
プロキシ・バインド更新要求メッセージ２３０は、（１）事前ハンドオフ登録メッセージとして自身を識別し、（２）事前ハンドオフ登録期間のトラフィックの方向を指示し、（３）事前ハンドオフ登録要求が引き続き有効と見なされる存続期間または期間を指定する必要がある。事前ハンドオフ登録要求メッセージ２３０は、プロキシ・バインド更新登録メッセージのフラグ・インジケータまたはオプションを使用することによって、これらの詳細を指定することができる。
【００４５】
存続期間は、ローカル・モビリティ・アンカー１１３がどのくらいの時間、新しい外部ネットワーク１５５上のモバイル・ノード１２５の仮の気付アドレスを認識すべきかを指示し、事前ハンドオフ登録期間のトラフィックの方向は、モバイル・ノードからの「アップリンク・トラフィック」が遷移期間中に新しい外部ネットワーク１５０経由で送信されるようにすること、モバイル・ノードへの「ダウンリンク・トラフィック」が遷移期間中に新しい外部ネットワーク１５０に送信されるようにすること、または「アップリンク」および「ダウンリンク」トラフィック（「双方向トラフィック」とも呼ばれる）の両方を、ローカル・モビリティ・アンカー１１３が許容するかどうかを指定する。
【００４６】
ホーム・エージェントまたはローカル・モビリティ・アンカー１１３は、そのバインディング・キャッシュ・エントリ・テーブルに適切な値を追加することによって、事前ハンドオフ登録を処理するが、これは新しい外部ネットワークの気付アドレスを、指定された存続期間中にモバイル・ノードに関連付けられている有効なアドレスとして認識する。モバイル・ノードの仮の気付アドレスの登録後、ローカル・モビリティ・アンカー１１３は、ローカル・モビリティ・アンカー１１３における新しい気付アドレスの事前ハンドオフ登録を確認するプロキシ・バインド応答メッセージ２６０でモビリティ・エージェント・ゲートウェイ１５５に応答する。モビリティ・エージェント・ゲートウェイは、メッセージ２７０をｅｖｏｌｖｉｎｇ  Ｎｏｄｅ  Ｂａｓｅｓｔａｔｉｏｎ１９０に送信することによりモバイル・ノード１２５と事前ハンドオフ登録プロセスを確認するが、このメッセージはモバイル・ノード１２５に送信される。
【００４７】
新しい外部ネットワーク１５０の仮の気付アドレスを含む通信パケットがローカル・モビリティ・アンカー１１３によって受信されるとき、これらのパケットは、適正なものとして認識され、モバイル・ノード１２５の接続が確実に保持されるように適切に処理される。外部ネットワーク１５０上のモバイル・ノード１２５の仮の気付アドレスがモバイル・ノード１２５との間の通信トラフィックを方向付けるために使用することができるので、サービスの中断は発生することはなく、モバイル・ノード１２５へのサービスおよびモバイル・ノード１２５からのサービスの継続性は保持される。
【００４８】
本発明の変更により、方向性インジケータは、「アップリンク」および「ダウンリンク」トラフィックに対する異なるトラフィックの指定または指示に対応するよう変更することができる。さらに、気付アドレスは、本明細書および特許請求の範囲においてプロキシの気付アドレスを示すことができ、モビリティ・エージェント・ゲートウェイ１１３は、セキュリティ・アソシエーションが有効であって保持されている限りにおいて、初期メッセージングからモバイル・ノード・プロキシ・バインドを登録解除することができることを理解されたい。モビリティ・エージェント・ゲートウェイはまた、現在のモバイル・プロキシ・バインドを更新するか、または登録解除メッセージの代わりにバインド取り消し指示メッセージを使用して、モバイル・ノード１２５のバインドを削除または変更することができる。
【００４９】
本発明の好ましい実施形態が示され、説明されたが、その変更は、本発明の精神および教示を逸脱することなく、当業者により行うことができる。本明細書において説明されている実施形態は、例示のために示されているに過ぎず、限定的であることは意図されていない。本明細書において開示される本発明の数多くの変形および変更が可能であり、それらは本発明の範囲に含まれる。
【図１】
0005421280.tif 000002
【図２】
0005421280.tif 000003